(57)【要約】【課題】入札に負けた利用者が既存の入札方法よりも納得感が得られやすい入札装置及びプログラムを提供する。【解決手段】入札装置は、所定のポイント数の保有ポイントを利用者に付与する会員登録手段２０と、入札画面を提示する入札画面作成手段２１と、入札画面に含まれる複数の購入対象のうち選択された購入対象及び当該購入対象に対して入力されたポイント数の入札ポイントを受け付ける入札受付手段２２と、入札ポイントに基づいて選択された購入対象の落札者を決定する落札者決定手段２４と、落札者となった利用者に対しては当該利用者の前記保有ポイントから入札ポイントを減算し、落札できなかった利用者に対しては入札ポイントを当該利用者の前記保有ポイントに戻す処理を行うポイント処理手段２３と、落札者に対して購入対象の購入費の決算処理をポイントの処理とは別に行う決済処理手段２５とを備える。【選択図】図１
2019215616.tif 000002
【特許請求の範囲】
【請求項１】
利用者が使用する端末装置からネットワークを介して入札を受け付ける入札装置であって、
一定期間内に使用可能な所定のポイント数のポイントを保有ポイントとして前記利用者に付与する付与手段と、
前記ネットワークを介してアクセスされた前記端末装置に複数の購入対象を含む入札画面を提示する提示手段と、
入札期間内に、前記端末装置から前記入札画面に含まれる前記複数の購入対象のうち選択された前記購入対象及び当該購入対象に対して入力されたポイント数を入札ポイントとして受け付ける受付手段と、
前記入札期間の終了時に、前記入札ポイントに基づいて前記選択された購入対象の落札者を決定する決定手段と、
前記落札者となった利用者に対しては当該利用者の前記保有ポイントから前記入札ポイントを減算し、落札できなかった前記利用者に対しては前記入札ポイントを当該利用者の前記保有ポイントに戻す処理を行うポイント処理手段と、
前記落札者に対して前記購入対象の購入費の決算処理を前記ポイントの処理とは別に行う決済手段と、
を備えた入札装置。
【請求項２】
前記受付手段は、受け付けた前記購入対象及び前記入札ポイントを前記入札期間は他の利用者に知られないようにする、
請求項１に記載の入札装置。
【請求項３】
前記決定手段は、前記落札者を決定後に落札した入札ポイントを落札ポイントとし、前記落札ポイントを前記落札者及び前記落札者以外の利用者のうち主催者により指定された利用者に開示する、
請求項１又は２に記載の入札装置。
【請求項４】
前記決定手段は、最高入札ポイント数で入札した利用者を前記落札者と決定する、
請求項１から３のいずれか１項に記載の入札装置。
【請求項５】
前記入札画面は、前記購入対象ごとに設定可能であり、入札に参加が可能な最低ポイント数を示す最低入札ポイントを含み、
前記受付手段は、前記最低入札ポイントよりも低い前記入札ポイントは受け付けない、
請求項１から４のいずれか１項に記載の入札装置。
【請求項６】
利用者が使用する端末装置からネットワークを介して入札を受け付けるコンピュータを、
一定期間内に使用可能な所定のポイント数のポイントを保有ポイントとして前記利用者に付与する付与手段と、
前記ネットワークを介してアクセスされた前記端末装置に複数の購入対象を含む入札画面を提示する提示手段と、
入札期間内に、前記端末装置から前記入札画面に含まれる前記複数の購入対象のうち選択された前記購入対象及び当該購入対象に対して入力されたポイント数を入札ポイントとして受け付ける受付手段と、
前記入札期間の終了時に、前記入札ポイントに基づいて前記選択された購入対象の落札者を決定する決定手段と、
前記落札者となった利用者に対しては当該利用者の前記保有ポイントから前記入札ポイントを減算し、落札できなかった前記利用者に対しては前記入札ポイントを当該利用者の前記保有ポイントに戻す処理を行うポイント処理手段と、
前記落札者に対して前記購入対象の購入費の決算処理を前記ポイントの処理とは別に行う決済手段、
として機能させるためのプログラム。
【発明の詳細な説明】
【技術分野】
【０００１】
本発明は、入札装置及びプログラムに関する。
【背景技術】
【０００２】
従来、オークション方式で入札を行い、入札に成功した人がコンテンツをダウンロードすることによりコンテンツを配布するようにしたコンテンツ配布システム及びサーバが提案されている（例えば、特許文献１参照）。
【０００３】
特許文献１に記載されたコンテンツ配布システムは、インターネットに接続されたサーバと、端末とを含み、サーバに登録されたコンテンツをインターネットを介して端末に配布するコンテンツ配布システムにおいて、配布を希望するユーザは、端末を介して個人情報を入力して会員登録をし、サーバは、その会員登録をしたユーザに対して所定数のポイントを発行し、ユーザは、発行を受けたポイントを使用し、コンテンツの配布を受けるようにしたものである。
【０００４】
このコンテンツ配布システムでは、ポイントをコンテンツと交換可能なものとしており、入札期間中に入札されたポイントが最低入札ポイント以上の場合、出品部数をＮとすると、入札ポイントの高い人からＮ番目までの人を落札者として決定し、落札者にコンテンツを配布する。
【先行技術文献】
【特許文献】
【０００５】
【特許文献１】特開２００２−１１７３０５号公報
【発明の概要】
【発明が解決しようとする課題】
【０００６】
購入対象の購入者を決める方法としては、最高入札値（金額、ポイント数を含む。）で決める方法や、早い順、抽選等があるが、最高入札値では購入対象の本来の価値以上に値が釣り上がってしまい、早い順では公平に欠け、抽選では運に左右されるため、いずれの方法も負けた者が納得を得られ難い。
【０００７】
そこで、本発明の目的は、入札に負けた利用者が既存の入札方法よりも納得感が得られやすい入札装置及びプログラムを提供することにある。
【課題を解決するための手段】
【０００８】
本発明は、上記目的を達成するため、利用者が使用する端末装置からネットワークを介して入札を受け付ける入札装置であって、
一定期間内に使用可能な所定のポイント数を保有ポイントとして前記利用者に付与する付与手段と、
前記ネットワークを介してアクセスされた前記端末装置に複数の購入対象を含む入札画面を提示する提示手段と、
入札期間内に、前記端末装置から前記入札画面に含まれる前記複数の購入対象のうち選択された前記購入対象及び当該購入対象に対して入力されたポイント数を入札ポイントとして受け付ける受付手段と、
前記入札期間の終了時に、前記入札ポイントに基づいて前記選択された購入対象の落札者を決定する決定手段と、
前記落札者となった利用者に対しては当該利用者の前記保有ポイントから前記入札ポイントを減算し、落札できなかった前記利用者に対しては前記入札ポイントを当該利用者の前記保有ポイントに戻す処理を行うポイント処理手段と、
前記落札者に対して前記購入対象の購入費の決算処理を前記ポイントの処理とは別に行う決済手段と、を備えた入札装置を提供する。
【０００９】
また、本発明は、上記目的を達成するため、利用者が使用する端末装置からネットワークを介して入札を受け付けるコンピュータを、
一定期間内に使用可能な所定のポイント数のポイントを保有ポイントとして前記利用者に付与する付与手段と、
前記ネットワークを介してアクセスされた前記端末装置に複数の購入対象を含む入札画面を提示する提示手段と、
入札期間内に、前記端末装置から前記入札画面に含まれる前記複数の購入対象のうち選択された前記購入対象及び当該購入対象に対して入力されたポイント数を入札ポイントとして受け付ける受付手段と、
前記入札期間の終了時に、前記入札ポイントに基づいて前記選択された購入対象の落札者を決定する決定手段と、
前記落札者となった利用者に対しては当該利用者の前記保有ポイントから前記入札ポイントを減算し、落札できなかった前記利用者に対しては前記入札ポイントを当該利用者の前記保有ポイントに戻す処理を行うポイント処理手段と、
前記落札者に対して前記購入対象の購入費の決算処理を前記ポイントの処理とは別に行う決済手段、として機能させるためのプログラムを提供する。
【発明の効果】
【００１０】
本発明によれば、入札に負けた利用者が既存の入札方法よりも納得感が得られやすくなる。
【図面の簡単な説明】
【００１１】
【図１】図１は、本発明の実施の形態に係る入札システムの概略の構成例を示す図である。
【図２】図２は、会員テーブルの一例を示す図である。
【図３】図３は、入札画面の一例を示す図である。
【図４】図４は、入札管理テーブルの一例を示す図である。
【図５】図５は、サーバ装置の動作の一例を示すフローチャートである。
【発明を実施するための形態】
【００１２】
以下、本発明の実施の形態について図面を参照して説明する。なお、各図中、実質的に同一の機能を有する構成要素については、同一の符号を付してその重複した説明を省略する。
【００１３】
［実施の形態］
図１は、本発明の実施の形態に係る入札システムの概略の構成例を示す図である。この入札システム１００は、会員にポイントを用いた入札の機会を与えるサーバ装置１と、会員が使用する複数の端末装置７とを備える。サーバ装置１は、入札装置の一例である。会員は、利用者の一例である。
【００１４】
本実施の形態で用いるポイントは、入札時に使用できるが、決済に使用できないものである。すなわち、ポイント数は落札への期待値を表すものとして使用される。
【００１５】
サーバ装置１と複数の端末装置７とは、ネットワーク８を介して接続可能に構成されている。ネットワーク８は、有線通信、無線通信等によりデータの送受信を行うインターネット等の通信網である。
【００１６】
（サーバ装置の構成）
サーバ装置１は、本装置１の各部を制御する制御部２と、各種の情報を記憶する記憶部３と、液晶ディスプレイ等で実現される表示部４と、キーボード、マウス等で実現される入力部５と、ネットワーク８を介して端末装置７、決済用サーバ装置等の外部装置と通信を行う通信部６とを有して概略構成されている。
【００１７】
制御部２は、ＣＰＵ（Central Processing Unit）、インターフェース等によって構成され、プログラム３０を実行することにより、会員登録手段２０、入札画面作成手段２１、入札受付手段２２、ポイント処理手段２３、落札者決定手段２４、決済処理手段２５等として機能する。これらの手段２０〜２５については後述する。会員登録手段２０は、付与手段の一例である。入札画面作成手段２１は、提示手段の一例である。入札受付手段２２は、受付手段の一例である。
【００１８】
記憶部３は、ＲＯＭ（Read Only Memory）、ＲＡＭ（Random Access Memory）、ハードディスク等から構成され、プログラム３０、会員テーブル３１（図２参照）、入札画面３２（図３参照）、入札管理テーブル３３（図４参照）等の各種の情報を記憶する。
【００１９】
（端末装置の構成）
端末装置７は、例えば、パーソナルコンピュータ、携帯情報端末（ＰＤＡ）、カメラ付き携帯電話機、多機能携帯電話機（スマートフォン）等を用いることができる。端末装置７は、液晶ディスプレイ等で実現される表示部と、キーボード、マウス等で実現される入力部と、サーバ装置１とネットワーク８を介して通信を行う通信部とを備えて構成されている。
【００２０】
図２は、会員テーブル３１の一例を示す図である。会員テーブル３１は、会員ＩＤ、氏名、パスワード、メールアドレス、保有ポイント、有効期間等の複数の項目を有する。会員ＩＤには、会員を識別する会員ＩＤが記録される。氏名には、会員の氏名が記録される。パスワードには、会員のパスワードが記録される。メールアドレスには、端末装置７、携帯電話機等のメールアドレスが記録される。保有ポイントには、入会時に予め定められたポイント数（例えば、１０００ポイント）が記録され、その後は会員が保有しているポイント数が記録される。有効期間には、保有ポイントを使用可能な期間、例えば入会した日から１年後までの期間が記録される。
【００２１】
図３は、端末装置７の表示部に表示される入札画面３２の一例を示す図である。入札画面３２は、入札番号を表示する入札番号表示領域３２０、入札期間を表示する入札期間表示領域３２１と、入札内容を表示する入札内容表示領域３２２と、会員が保有する保有ポイントを表示する保有ポイント表示領域３２３とを含む。入札番号は、入札イベントを一義的に識別するものであり、入札イベント作成時に付与される。
【００２２】
入札内容表示領域３２２は、管理番号、購入対象識別情報、購入対象詳細情報、価格、入札ポイント数等の複数の項目を有する。管理番号には、個々の購入対象を管理するための番号が記録される。購入対象識別情報には、購入対象を識別する名称や型式等の識別情報が記録される。購入対象詳細情報には、購入対象に関する詳細な情報、例えば、メーカ、中古の場合は使用回数、購入対象の外観等を示す画像等が記録される。価格には、購入対象の価格が記録される。入札ポイント数には、ユーザが入力部を操作して入力されたポイント数が記録される。購入対象には、自動車、著作物、催し物のチケット、豪華寝台列車の乗車券等の物、宿泊施設の予約、時間貸し駐車場等のサービス、権利等が含まれる。
【００２３】
例えば、保有ポイント表示領域３２３に１０００ポイントが表示されている場合に、管理番号が「１」の入札ポイント数の欄に５０ポイントを入力すると、ポイント処理手段２３によって保有ポイントの１０００ポイントから５０ポイントが減算された後の９５０ポイントが保有ポイント表示領域３２３に表示される。
【００２４】
図４は、入札管理テーブル３３の一例を示す図である。入札管理テーブル３３は、図３の入札画面３２と同様に、入札番号を表示する入札番号表示領域３３０、入札期間を表示する入札期間表示領域３３１と、入札内容を表示する入札内容表示領域３３２とを含む。
【００２５】
入札内容表示領域３３２は、図３と同様に、管理番号、購入対象識別情報、購入対象詳細情報、価格の項目を有し、さらに入札ポイント数、落札ポイント等の項目を有する。入札ポイント数の欄には、会員により端末装置７の入力部を操作して入力されたポイント数と会員ＩＤが記録される。落札ポイントの欄には、入札期間が過ぎた時点で落札者が決定された落札ポイント及び落札者の会員ＩＤが記録される。
【００２６】
次に、制御部２の各手段２０〜２５について説明する。
【００２７】
会員登録手段２０は、端末装置７から送信されたユーザ情報に会員登録に必要な情報（例えば、氏名、メールアドレス等）が含まれている場合は、会員登録する。すなわち、会員登録手段２０は、会員ＩＤを生成し、一定期間（例えば、１年）内に入札時に使用可能で決済に使用できない所定のポイント数（例えば、１０００ポイント）のポイントを保有ポイントとして当該会員に付与する。また、会員登録手段２０は、会員ＩＤ、保有ポイント及び有効期間を会員テーブル３１に記録する。
【００２８】
入札画面作成手段２１は、主催者が入札期間及び入札する購入対象を決めて入札イベントを作成する。入札画面作成手段２１は、作成した入札イベントに入札番号を付与し、入札画面３２及び入札管理テーブル３３を作成し、入札画面３２及び入札管理テーブル３３を記憶部３に記憶する。入札画面作成手段２１は、端末装置７からネットワーク８を介してアクセスされると、会員テーブル３１から当該会員が保有する保有ポイントを取得し、記憶部３に記憶された入札画面３２の保有ポイント表示領域３２３に保有ポイントを書き込み、入札画面３２を端末装置７に提示する。
【００２９】
なお、本実施の形態では、どの購入対象を入札画面３２に含めるかは、入札の機会を与える側（主催者）が決めているが、購入対象を提案する者が決めてもよい。また、最低入札ポイントを入札画面３２を用意する側（主催者）、又は購入対象を提案する者が決めてもよい。
【００３０】
入札受付手段２２は、端末装置７から予め定められた期間内に、入札画面３２に含まれる複数の購入対象のうち選択された購入対象、及び選択した当該購入対象に対して入力された落札への期待値を示すポイント数を、購入対象が選択されたこと及び入力された当該ポイント数を受付後も他の会員に知られないように、受け付ける。また、入札受付手段２２は、入札ポイント数及び会員ＩＤを入札管理テーブル３３に記録する。
【００３１】
ポイント処理手段２３は、入札した会員が保有する保有ポイントから入札に使用された入札ポイント数を減算して保有ポイントを算出する。ポイント処理手段２３は、算出後の保有ポイントで会員テーブル３１の保有ポイントを更新する。
【００３２】
また、ポイント処理手段２３は、落札者となった利用者に対しては、当該会員が保有する保有ポイントから入札ポイント数を減算する。ポイント処理手段２３は、落札できなかった利用者に対しては入札ポイント数を当該利用者の保有ポイントに戻す処理を行う。
【００３３】
落札者決定手段２４は、入札期間の終了時に、入札ポイント数に基づいて選択された購入対象の落札者を決定する。具体的には、落札者決定手段２４は、最高入札ポイント数で入札した会員を落札者と決定する。なお、入札画面が同種の購入対象に対して個数の項目を有する場合は、同種の購入対象の数をＮとすると、入札ポイント数の高い人からＮ番目までの人を落札者として決定してもよい。なお、最高入札ポイント数が複数人いた場合はそれらの間で再度入札を行ってもよい。
【００３４】
また、落札者決定手段２４は、落札者を決定後に落札した入札ポイントを落札ポイントとし、落札ポイントを落札者及び他の会員のうち主催者により指定された会員に開示してもよい。主催者は例えば開示要求が事前に全ての入札者からあった場合は全ての入札者に開示してもよい。また、主催者が必要と判断した会員を開示相手として指定してもよい。必要と判断した場合としては、例えば、全ての入札者に開示することで落札者が公平で不利益を受けないこと、次回以降の入札に影響を与えないことや落札したポイント数の整合性の確認をすること等が考えられる。
【００３５】
決済処理手段２５は、落札者に対し購入対象の購入費の決算処理をポイントとは別に行う。決済処理手段２５は、例えば、決済用サーバ装置にアクセスし、落札者の預金口座から購入対象の購入費の引き落とす処理を行う。
【００３６】
（実施の形態の動作）
次に、入札システム１００の動作の一例を説明する。図５は、サーバ装置１の動作の一例を示すフローチャートである。
【００３７】
（１）会員登録
ユーザは、端末装置７を操作して会員登録に必要なユーザ情報をネットワーク８を介してサーバ装置１に送信する。ユーザ情報には、氏名、パスワード、メールアドレス等が含まれる。
【００３８】
サーバ装置１は、端末装置７から送信されたユーザ情報を通信部６を介して受信すると、会員登録手段２０は、ユーザ情報に会員登録に必要な情報が含まれているか否かを判断し、含まれていると判断すると、会員登録する。すなわち、会員登録手段２０は、会員ＩＤを生成し、当該会員に対して所定のポイント数（例えば、１０００ポイント）を付与する。また、会員登録手段２０は、会員ＩＤ、付与したポイント数、及び有効期間を会員テーブル３１に記録する。
【００３９】
（２）入札の開始
入札画面作成手段２１は、入札期間及び入札する購入対象を決めて入札イベントを作成する（Ｓ１）。入札画面作成手段２１は、作成した入札イベントに入札番号を付与し、入札画面３２及び入札管理テーブル３３を作成し、入札画面３２及び入札管理テーブル３３を記憶部３に記憶する。
【００４０】
入札受付手段２２は、端末装置７からネットワーク８を介して会員ＩＤ及びパスワードとともに入札要求があると（Ｓ２）、端末装置７から送信された会員ＩＤ及びパスワードが会員テーブル３１に登録されているか否かを判断する（Ｓ３）。
【００４１】
会員テーブル３１に登録されている場合には（Ｓ３：Ｙｅｓ）、入札受付手段２２は、現在が入札期間内か否かを判断する（Ｓ４）。入札受付手段２２は、現在が入札期間内である場合は（Ｓ４：Ｙｅｓ）、会員テーブル３１から当該会員が保有する保有ポイントを取得し、取得した保有ポイントを含む入札画面３２を生成して端末装置７に提示する（Ｓ５）。
【００４２】
端末装置７は、サーバ装置１から送信された入札画面３２を表示部に表示する。入札画面３２の保有ポイント表示領域３２３には、自己が保有する保有ポイントが表示されているため、会員は自己が保有する保有ポイントを考慮して購入対象を決め、入力するポイント数を決める。
【００４３】
入札画面３２に対して端末装置７の入力部の操作によりポイント数が入力されると、入札受付手段２２は、ポイント数が入力された購入対象に対して入札を受け付ける（Ｓ６）。入札受付手段２２は、入札管理テーブル３３に入力されたポイント数及び会員ＩＤを記憶する。
【００４４】
ポイント処理手段２３は、入札した会員が保有する保有ポイントから入札に使用されたポイント数を減算して保有ポイントを算出する。ポイント処理手段２３は、会員テーブル３１の保有ポイントを更新する。
【００４５】
入札受付手段２２は、入札画面３２の保有ポイント表示領域３２３の保有ポイントをポイント処理手段２３により算出されたポイント数に書き替える。
【００４６】
入札期間が終了したか否かを判断する（Ｓ７）。入札期間が終了していなければ（Ｓ７：Ｎｏ）、上記ステップＳ２に戻り、上記ステップＳ２乃至Ｓ６の処理を繰り返す。
【００４７】
入札期間が終了すると（Ｓ７：Ｙｅｓ）、落札者決定手段２４は、落札者を決定する（Ｓ８）。落札者決定手段２４は、会員テーブル３１に記録されているメールアドレスに落札したことを通知する。
【００４８】
決済処理手段２５は、落札者決定手段２４により決定された落札者に対して決済処理を行う（Ｓ９）。
【００４９】
ポイント処理手段２３は、落札できなかった会員に対して入札ポイント数を戻すポイント返却処理を行う（Ｓ１０）。すなわち、ポイント処理手段２３は、会員テーブル３１の保有ポイント欄のポイント数に入札ポイント数を加算して更新する。
【００５０】
上記ステップＳ３において、ユーザが登録された会員でないと判断された場合（Ｓ３：Ｎｏ）、又は上記ステップＳ４において、入札期間内でない場合（Ｓ４：Ｎｏ）、入札受付手段２２は、端末装置７の表示部に対してエラー表示を行う（Ｓ１１）。
【００５１】
（本実施の形態の作用、効果）
本実施の形態によれば、以下の作用、効果を奏する。
（１）既存の入札方法と比べて、入札に勝った利用者はポイントを没収されるが希望の購入対象が購入できることで満足感を得ることができ、入札に負けた利用者は入札時に使用したポイントが返却される事と自己の判断で入札をするために負けても納得感を得ることができる。
（２）購入対象の購入費用が入札によって変動しないため、購入対象の本来の価値で取り引きすることができる。
【００５２】
（変形例１）
入札画面３２は、入札に参加が可能な最低ポイント数を示す最低入札ポイントを含み、入札受付手段２２は、最低入札ポイントよりも低い入札ポイントは受け付けないとしてもよい。
【００５３】
［他の実施の形態］
以上、本発明の実施の形態を説明したが、本発明の実施の形態は上記実施の形態に限定されるものではなく、本発明の要旨を変更しない範囲内で種々の変形、実施が可能である。上記実施の形態では、入札できる利用者を会員としたが、何らかのユーザ情報を登録したユーザでもよい。また、上記実施の形態では、保有ポイントを入会時から１年間使用可能としたが、１年後に会員を継続すれば、再び保有ポイントを付与してもよい。また、会員の入会時によらず、ある時期から一定の期間使用できるポイントを会員に付与してもよい。
【００５４】
制御部２の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００５５】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【００５６】
１…サーバ装置、２…制御部、３…記憶部、４…表示部、５…入力部、６…通信部、７…端末装置、８…ネットワーク、２０…会員登録手段、２１…入札画面作成手段、２２…入札受付手段、２３…ポイント処理手段、２４…落札者決定手段、２５…決済処理手段、３０…プログラム、３１…会員テーブル、３２…入札画面、３３…入札管理テーブル、１００…入札システム、３２０…入札番号表示領域、３２１…入札期間表示領域、３２２…入札内容表示領域、３２３…保有ポイント表示領域、３３０…入札番号表示領域、３３１…入札期間表示領域、３３２…入札内容表示領域
【図１】
2019215616.tif 000003
【図２】
2019215616.tif 000004
【図３】
2019215616.tif 000005
【図４】
2019215616.tif 000006
【図５】
2019215616.tif 000007
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
利用者が使用する端末装置からネットワークを介して入札を受け付ける入札装置であって、
一定期間内に使用可能な所定のポイント数のポイントを保有ポイントとして前記利用者に付与する付与手段と、
前記ネットワークを介してアクセスされた前記端末装置に複数の購入対象を含む入札画面を提示するものであって、前記入札画面が識別情報が同一のＮ個の購入対象を含む場合、前記Ｎ個の購入対象のそれぞれに対して異なるポイント数を入力可能な前記入札画面を提示する提示手段と、
入札期間内に、前記端末装置から前記入札画面に含まれる前記複数の購入対象のうち選択された前記購入対象及び当該購入対象に対して入力されたポイント数を入札ポイントとして受け付ける受付手段と、
前記入札期間の終了時に、前記入札ポイントに基づいて前記選択された購入対象の落札者を決定する決定手段と、
前記落札者となった利用者に対しては当該利用者の前記保有ポイントから前記入札ポイントを減算し、落札できなかった前記利用者に対しては前記入札ポイントを当該利用者の前記保有ポイントに戻す処理を行うポイント処理手段と、
前記落札者に対して前記購入対象の購入費の決済処理を前記ポイントの処理とは別に行う決済手段と、を備えた入札装置。
【請求項２】
前記受付手段は、入力された前記購入対象及び前記入札ポイントを前記入札期間は他の利用者に知られないようにする、
請求項１に記載の入札装置。
【請求項３】
前記決定手段は、前記落札者を決定後に落札した入札ポイントを落札ポイントとし、前記落札ポイントを前記落札者及び前記落札者以外の利用者のうち主催者により指定された利用者に開示する、
請求項１又は２に記載の入札装置。
【請求項４】
前記決定手段は、最高入札ポイント数で入札した利用者を前記落札者として決定し、前記入札画面が前記識別情報が同一のＮ個の購入対象を含む場合、前記入札ポイントのポイント数の高い利用者からＮ番目までの利用者を前記購入対象の落札者として決定する、
請求項１から３のいずれか１項に記載の入札装置。
決定手段
【請求項５】
前記入札画面は、前記購入対象ごとに設定可能であり、入札に参加が可能な最低ポイント数を示す最低入札ポイントを含み、
前記受付手段は、前記最低入札ポイントよりも低い前記入札ポイントは受け付けない、
請求項１から４のいずれか１項に記載の入札装置。
【請求項６】
利用者が使用する端末装置からネットワークを介して入札を受け付けるコンピュータを、
一定期間内に使用可能な所定のポイント数のポイントを保有ポイントとして前記利用者に付与する付与手段と、
前記ネットワークを介してアクセスされた前記端末装置に複数の購入対象を含む入札画面を提示するものであって、前記入札画面が識別情報が同一のＮ個の購入対象を含む場合、前記Ｎ個の購入対象のそれぞれに対して異なるポイント数を入力可能な前記入札画面を提示する提示手段と、
入札期間内に、前記端末装置から前記入札画面に含まれる前記複数の購入対象のうち選択された前記購入対象及び当該購入対象に対して入力されたポイント数を入札ポイントとして受け付ける受付手段と、
前記入札期間の終了時に、前記入札ポイントに基づいて前記選択された購入対象の落札者を決定する決定手段と、
前記落札者となった利用者に対しては当該利用者の前記保有ポイントから前記入札ポイントを減算し、落札できなかった前記利用者に対しては前記入札ポイントを当該利用者の前記保有ポイントに戻す処理を行うポイント処理手段と、
前記落札者に対して前記購入対象の購入費の決済処理を前記ポイントの処理とは別に行う決済手段、
として機能させるためのプログラム。
【手続補正２】
【補正対象書類名】明細書
【補正対象項目名】０００８
【補正方法】変更
【補正の内容】
【０００８】
本発明は、上記目的を達成するため、利用者が使用する端末装置からネットワークを介して入札を受け付ける入札装置であって、
一定期間内に使用可能な所定のポイント数のポイントを保有ポイントとして前記利用者に付与する付与手段と、
前記ネットワークを介してアクセスされた前記端末装置に複数の購入対象を含む入札画面を提示するものであって、前記入札画面が識別情報が同一のＮ個の購入対象を含む場合、前記Ｎ個の購入対象のそれぞれに対して異なるポイント数を入力可能な前記入札画面を提示する提示手段と、
入札期間内に、前記端末装置から前記入札画面に含まれる前記複数の購入対象のうち選択された前記購入対象及び当該購入対象に対して入力されたポイント数を入札ポイントとして受け付ける受付手段と、
前記入札期間の終了時に、前記入札ポイントに基づいて前記選択された購入対象の落札者を決定する決定手段と、
前記落札者となった利用者に対しては当該利用者の前記保有ポイントから前記入札ポイントを減算し、落札できなかった前記利用者に対しては前記入札ポイントを当該利用者の前記保有ポイントに戻す処理を行うポイント処理手段と、
前記落札者に対して前記購入対象の購入費の決済処理を前記ポイントの処理とは別に行う決済手段と、を備えた入札装置を提供する。
【手続補正３】
【補正対象書類名】明細書
【補正対象項目名】０００９
【補正方法】変更
【補正の内容】
【０００９】
本発明は、上記目的を達成するため、利用者が使用する端末装置からネットワークを介して入札を受け付けるコンピュータを、
一定期間内に使用可能な所定のポイント数のポイントを保有ポイントとして前記利用者に付与する付与手段と、
前記ネットワークを介してアクセスされた前記端末装置に複数の購入対象を含む入札画面を提示するものであって、前記入札画面が識別情報が同一のＮ個の購入対象を含む場合、前記Ｎ個の購入対象のそれぞれに対して異なるポイント数を入力可能な前記入札画面を提示する提示手段と、
入札期間内に、前記端末装置から前記入札画面に含まれる前記複数の購入対象のうち選択された前記購入対象及び当該購入対象に対して入力されたポイント数を入札ポイントとして受け付ける受付手段と、
前記入札期間の終了時に、前記入札ポイントに基づいて前記選択された購入対象の落札者を決定する決定手段と、
前記落札者となった利用者に対しては当該利用者の前記保有ポイントから前記入札ポイントを減算し、落札できなかった前記利用者に対しては前記入札ポイントを当該利用者の前記保有ポイントに戻す処理を行うポイント処理手段と、
前記落札者に対して前記購入対象の購入費の決済処理を前記ポイントの処理とは別に行う決済手段、として機能させるためのプログラムを提供する。
【手続補正４】
【補正対象書類名】明細書
【補正対象項目名】００３５
【補正方法】変更
【補正の内容】
【００３５】
決済処理手段２５は、落札者に対し購入対象の購入費の決済処理をポイントとは別に行う。決済処理手段２５は、例えば、決済用サーバ装置にアクセスし、落札者の預金口座から購入対象の購入費の引き落とす処理を行う。
【手続補正５】
【補正対象書類名】図面
【補正対象項目名】図４
【補正方法】変更
【補正の内容】
【図４】
2019215616.tif 000008